(57)【要約】【課題】プロジェクタにおいて、角度調節機構の操作ボタンとボタン孔の端縁との隙間を小さくし、操作ボタンとボタン孔の端縁との接触音を軽減可能で、外観を良好にすることができるようにし、また、操作ボタンを操作するときの触感も良好にする。【解決手段】プロジェクタ１の角度調節機構３０は、スタンド部材３１が、レバー部材３３が下方に変位したときに筐体２に対しスライド可能である。レバー部材３３の上部には、ボタン孔２ｃを介し外部に露出される操作ボタン３５が設けられている。操作ボタン３５の下面には、レバー部材３３の上部の孔部３３ｃに緩嵌される取付ボス部３５ｂが形成されている。操作ボタン３５は、レバー部材３３に対し変位可能に取り付けられており、筐体２の内部に収納されるとき、そのボタン孔２ｃの位置に合わせて、操作ボタン３５の位置が調節されるように構成されている。【選択図】図４
2007316320.tif 000002
【特許請求の範囲】
【請求項１】
筐体と、
前記筐体内部の前方に収納された箱体状のランプボックスに覆われた状態で配置された光源と、
前記ランプボックスの外部の、前記光源から出射された光の光路上に設けられ、三原色に相当するカラーフィルタが所定角度ピッチで形成され、一定速度で回転するカラーホイールと、
前記光源から出射された光を前記カラーホイールの一部に集光するための、少なくとも反射板を備えた集光部材と、
前記カラーホイールを透過した光束の光路上に設けられ、二次元的に配列された微小ミラーの集合体であって、外部から入力された映像信号に応じて前記微小ミラーの角度を変化させ、前記カラーホイールを透過した光束を所定方向と前記所定方向以外の方向に反射させるＤＭＤ（デジタルマイクロミラーデバイス）と、
前記ＤＭＤに対して前記所定方向に配置され、前記ＤＭＤにより反射された光束をスクリーン上に拡大投影する投影レンズと、
前記映像信号を用いて前記ＤＭＤを駆動するＤＭＤ駆動回路と、
プロジェクタ全体を制御する全体制御回路と、
前記光源を駆動する光源駆動回路と、
前記ＤＭＤ駆動回路、前記全体制御回路及び前記光源駆動回路を含むプロジェクタ各部に電力を供給するための電源回路と、
前記筐体に収納され、プロジェクタ本体の載置角度をその載置面に対して変更するための角度調節機構とを備え、
前記筐体は、上面に、貫通孔であるボタン孔を有しており、
前記角度調節機構は、
前記筐体の前方に、上下方向にスライド可能に配置されており、下端部が前記載置面と当接するように構成された略棒形状のスタンド部材と、
前記スタンド部材の前記筐体に対する位置をロックするロック機構と、
前記ボタン孔から前記筐体の上面に露出し下方に押し込み操作可能に配置された操作ボタンと、
前記操作ボタンが上部に取り付けられた状態で前記ランプボックスの近傍に配置されており、前記操作ボタンが押し込まれたとき、その操作ボタンと共に下方に変位し、前記ロック機構による前記スタンド部材のロックを解除するレバー部材と、
前記レバー部材を上方に付勢する付勢機構とを有するプロジェクタにおいて、
前記レバー部材は、その上部に、孔部を有する略水平な取付板を有しており、
前記操作ボタンは、下面から下方に突設され、前記孔部に緩嵌される取付ボス部と、前記筐体の上面に露出するように配置された状態で前記ボタン孔の端部近傍の前記筐体の内面に当接し得るフランジ部とを有しており、
前記操作ボタンは、前記ボタン孔に外部から押し込み操作可能に配置された状態で、前記レバー部材に対する位置が前記ボタン孔の位置に合わせて調整されており、かつ、前記フランジ部が前記筐体の内面に当接するように、前記付勢部材により前記レバー部材と共に上方に付勢されることによって前記レバー部材に対して変位しにくい状態で保持されており、
それにより、前記操作ボタンと前記筐体とが接触して生じる接触音が軽減され、また、前記操作ボタンと前記ボタン孔の端部との隙間を小さくすることができるように構成されていることを特徴とするプロジェクタ。
【請求項２】
光源と、
前記光源から出射された光を用いて、外部から入力された映像信号に応じてスクリーン上に投影する光束を出射する映像形成部と、
前記映像形成部から出射された光束をスクリーン上に投影する投影レンズと、
ユーザによる操作に応じて前記投影レンズの配置を変更して、前記投影レンズから投影される光束の位置を変更する映像調節機構と、
前記光源及び映像形成部を含むプロジェクタ全体を制御する制御回路と、
前記制御回路を含むプロジェクタ各部に電力を供給するための電源回路と、
前記各部材を収納する筐体と、
前記筐体に収納され、プロジェクタ本体の載置角度をその載置面に対して変更するための角度調節機構とを備え、
前記筐体は、貫通孔であるボタン孔を有しており、
前記角度調節機構は、
前記筐体に、上下方向にスライド可能に配置されており、下端部が前記載置面と当接するように構成されたスタンド部材と、
前記スタンド部材の前記筐体に対する位置をロックするロック機構と、
前記ボタン孔に貫装され前記筐体の外部から押し込み操作可能に配置された操作ボタンと、
前記操作ボタンが取り付けられており、前記操作ボタンが押し込まれたとき、その操作ボタンと共に変位し、前記ロック機構による前記スタンド部材のロックを解除するレバー部材と、
前記レバー部材を、前記操作ボタンが押し込まれたときに変位する方向と反対方向に付勢する付勢機構とを有するプロジェクタにおいて、
前記レバー部材の前記操作ボタンが取り付けられる部位には、孔部が形成されており、
前記操作ボタンは、前記孔部に緩嵌される取付ボス部を有しており、前記ボタン孔に外部から押し込み操作可能に配置された状態で、前記レバー部材に対する位置が前記ボタン孔の位置に合わせて調整されていることを特徴とするプロジェクタ。
【請求項３】
前記操作ボタンは、前記筐体の上面に露出するように配置された状態で前記ボタン孔の端部近傍の前記筐体の内面に当接し得るフランジ部とを有しており、
前記操作ボタンは、前記付勢部材により前記レバー部材と共に付勢されて、前記フランジ部が前記筐体の内面とが当接し、前記レバー部材に対して変位しにくい状態で保持されるように構成されていることを特徴とする請求項２に記載のプロジェクタ。
【発明の詳細な説明】
【技術分野】
【０００１】
本発明は、外部のスクリーン上に映像を投影するプロジェクタに関し、特に、載置面に対してプロジェクタ本体の角度を調節する機能を有するものに関する。
【背景技術】
【０００２】
従来より、例えばパーソナルコンピュータ等から出力される映像信号に基づいて、外部のスクリーンに映像を投影するプロジェクタにおいては、スクリーンに対して適切に画像を投影するため、その載置面に対する角度を調節するための機構が設けられている。このような角度調節機構としては、例えば、筐体前方に１本配置された棒状のスタンド部材を、下方にスライドさせて筐体下面から突き出すことによりプロジェクタ本体の角度を調整するものがある。スタンド部材は、例えば、通常使用時には筐体に対する位置がロックされており、プロジェクタ本体を支えることができるように構成されている。そして、例えば、筐体に設けられたボタン孔に貫装されて外部から操作可能に設けられ、筐体内部のレバー部材と連動する操作ボタンが操作されると、レバー部材が筐体内部で変位してスタンド部材のロックが解除され、スタンド部材の筐体に対する位置を変更することができるように構成されている。
【０００３】
このようなプロジェクタの角度調節機構においては、レバー部材と操作ボタンとは、互いに別部材に構成されていることがある。すなわち、プロジェクタの筐体内部は光源等の熱により高温となるため、例えばレバー部材のように、筐体内部でこのような熱源に近い位置に配置されたり、剛性が特に必要となる部材としては、金属や複合樹脂等が用いられ、一方で、外部に露出する操作ボタンとしては、材料コストや、外観デザイン等の要請により、一般的な樹脂等が用いられて、角度調節機構が構成されることがある。また、レバー部材と操作ボタンとを一体に形成した場合には、形状が複雑化して製造コストが高くなってしまうという問題が生じる。このような、互いに別の部材で構成されたレバー部材と操作ボタンとは、例えばねじを用いて互いに結合され、操作ボタンが操作されたときにレバー部材が連動するように構成されている。レバー部材は可動部材であり、また、製造時の寸法誤差等を鑑み、筐体内部に、若干量の遊びを持った状態で配置されている。
【０００４】
ところで、このようなプロジェクタにおいては、例えばプロジェクタ本体に振動等が加わったり、筐体内部に収納されたスピーカ等から比較的大音量で音声を出力したりしたとき等に、レバー部材がその遊びの範囲内で共振し、操作ボタンと筐体のボタン孔の端縁とが繰り返し接触して接触音が生じることがある。このような接触音は、ユーザにとって耳障りなものである。また、ボタン孔の大きさは、操作ボタンの外形より、少なくとも、筐体、レバー部材、及び操作ボタン等のそれぞれの製造時の寸法誤差を鑑みて大きくしなければならず、ボタン孔の端縁と操作ボタンとの隙間が大きくなってしまい、プロジェクタの外観が良好ではなくなり、また、ユーザにとって、操作ボタンの筐体に対する遊びも大きく感じられ、操作ボタンを操作するときの触感が悪くなるという問題も生ずる。
【０００５】
ところで、特許文献１には、寸法誤差や熱膨張率の相違がある場合でも、支持部材とベースとの位置ずれを防止可能なプッシュツマミの取付構造が記載されている。しかしながら、この特許文献１に記載の構造は、プッシュツマミの傾き等を防止するものであり、上述の操作ボタンとボタン孔との接触音を軽減可能にするものではなく、また、機器の外観を良好にするものではない。従って、この構造は、上述のような問題に対する解決策として適用可能なものではない。
【０００６】
また、特許文献２には、前面パネルのボタン穴の位置精度が悪くシャーシガイド部と軸心がずれていても、押しボタンの操作面をボタン穴から適切に突出させることが可能で、押しボタンのがたつきを防止可能な構造が記載されている。しかしながら、この特許文献２に記載の構造は、機器の外観を良好にするものではなく、また、押しボタンの内側にインナーボタンを取り付けた構造であり、インナーボタンの形状が複雑なものになってしまうという問題がある。
【０００７】
さらにまた、特許文献３には、スイッチ素子を取り付けた基板をボスにねじ止めしてスイッチ素子を押しボタンケースに対して位置決めし、パネルに開設された開口に挿通した状態でパネルに固定される押しボタンケースに対して、スイッチ素子を容易に精度良く位置決めで切るようにしたスイッチが記載されている。しかしながら、この特許文献３に記載の構造は、上述のようにボタン孔に押しボタンが貫装される構造に適用可能なものではない。
【特許文献１】特開２００６−４９０６８号公報
【特許文献２】特開２００４−２８１２９１号公報
【特許文献３】特開２０００−３３１５６０号公報
【発明の開示】
【発明が解決しようとする課題】
【０００８】
本発明は、上記問題点を鑑みてなされたものであり、操作ボタンとボタン孔の端縁との隙間を小さくすることができ、操作ボタンとボタン孔の端縁との接触音を軽減可能で、外観を良好にすることができ、また、操作ボタンを操作するときの触感も良好にすることができるプロジェクタを提供することを目的とする。
【課題を解決するための手段】
【０００９】
上記目的を達成するため請求項１の発明は、筐体と、前記筐体内部の前方に収納された箱体状のランプボックスに覆われた状態で配置された光源と、前記ランプボックスの外部の、前記光源から出射された光の光路上に設けられ、三原色に相当するカラーフィルタが所定角度ピッチで形成され、一定速度で回転するカラーホイールと、前記光源から出射された光を前記カラーホイールの一部に集光するための、少なくとも反射板を備えた集光部材と、前記カラーホイールを透過した光束の光路上に設けられ、二次元的に配列された微小ミラーの集合体であって、外部から入力された映像信号に応じて前記微小ミラーの角度を変化させ、前記カラーホイールを透過した光束を所定方向と前記所定方向以外の方向に反射させるＤＭＤ（デジタルマイクロミラーデバイス）と、前記ＤＭＤに対して前記所定方向に配置され、前記ＤＭＤにより反射された光束をスクリーン上に拡大投影する投影レンズと、前記映像信号を用いて前記ＤＭＤを駆動するＤＭＤ駆動回路と、プロジェクタ全体を制御する全体制御回路と、前記光源を駆動する光源駆動回路と、前記ＤＭＤ駆動回路、前記全体制御回路及び前記光源駆動回路を含むプロジェクタ各部に電力を供給するための電源回路と、前記筐体に収納され、プロジェクタ本体の載置角度をその載置面に対して変更するための角度調節機構とを備え、前記筐体は、上面に、貫通孔であるボタン孔を有しており、前記角度調節機構は、前記筐体の前方に、上下方向にスライド可能に配置されており、下端部が前記載置面と当接するように構成された略棒形状のスタンド部材と、前記スタンド部材の前記筐体に対する位置をロックするロック機構と、前記ボタン孔から前記筐体の上面に露出し下方に押し込み操作可能に配置された操作ボタンと、前記操作ボタンが上部に取り付けられた状態で前記ランプボックスの近傍に配置されており、前記操作ボタンが押し込まれたとき、その操作ボタンと共に下方に変位し、前記ロック機構による前記スタンド部材のロックを解除するレバー部材と、前記レバー部材を上方に付勢する付勢機構とを有するプロジェクタにおいて、前記レバー部材は、その上部に、孔部を有する略水平な取付板を有しており、前記操作ボタンは、下面から下方に突設され、前記孔部に緩嵌される取付ボス部と、前記筐体の上面に露出するように配置された状態で前記ボタン孔の端部近傍の前記筐体の内面に当接し得るフランジ部とを有しており、前記操作ボタンは、前記ボタン孔に外部から押し込み操作可能に配置された状態で、前記レバー部材に対する位置が前記ボタン孔の位置に合わせて調整されており、かつ、前記フランジ部が前記筐体の内面に当接するように、前記付勢部材により前記レバー部材と共に上方に付勢されることによって前記レバー部材に対して変位しにくい状態で保持されており、それにより、前記操作ボタンと前記筐体とが接触して生じる接触音が軽減され、また、前記操作ボタンと前記ボタン孔の端部との隙間を小さくすることができるように構成されているものである。
【００１０】
請求項２の発明は、光源と、前記光源から出射された光を用いて、外部から入力された映像信号に応じてスクリーン上に投影する光束を出射する映像形成部と、前記映像形成部から出射された光束をスクリーン上に投影する投影レンズと、ユーザによる操作に応じて前記投影レンズの配置を変更して、前記投影レンズから投影される光束の位置を変更する映像調節機構と、前記光源及び映像形成部を含むプロジェクタ全体を制御する制御回路と、前記制御回路を含むプロジェクタ各部に電力を供給するための電源回路と、前記各部材を収納する筐体と、前記筐体に収納され、プロジェクタ本体の載置角度をその載置面に対して変更するための角度調節機構とを備え、前記筐体は、貫通孔であるボタン孔を有しており、前記角度調節機構は、前記筐体に、上下方向にスライド可能に配置されており、下端部が前記載置面と当接するように構成されたスタンド部材と、前記スタンド部材の前記筐体に対する位置をロックするロック機構と、前記ボタン孔に貫装され前記筐体の外部から押し込み操作可能に配置された操作ボタンと、前記操作ボタンが取り付けられており、前記操作ボタンが押し込まれたとき、その操作ボタンと共に変位し、前記ロック機構による前記スタンド部材のロックを解除するレバー部材と、前記レバー部材を、前記操作ボタンが押し込まれたときに変位する方向と反対方向に付勢する付勢機構とを有するプロジェクタにおいて、前記レバー部材の前記操作ボタンが取り付けられる部位には、孔部が形成されており、前記操作ボタンは、前記孔部に緩嵌される取付ボス部を有しており、前記ボタン孔に外部から押し込み操作可能に配置された状態で、前記レバー部材に対する位置が前記ボタン孔の位置に合わせて調整されているものである。
【００１１】
請求項３の発明は、請求項２の発明において、前記操作ボタンは、前記筐体の上面に露出するように配置された状態で前記ボタン孔の端部近傍の前記筐体の内面に当接し得るフランジ部とを有しており、前記操作ボタンは、前記付勢部材により前記レバー部材と共に付勢されて、前記フランジ部が前記筐体の内面とが当接し、前記レバー部材に対して変位しにくい状態で保持されるように構成されているものである。
【発明の効果】
【００１２】
請求項１の発明によれば、操作ボタンの取付ボスが、レバー部材の取付板に設けられた孔部に緩嵌された状態で取り付けられており、操作ボタンが、ボタン孔に外部から押し込み操作可能に配置された状態で、レバー部材に対する位置がボタン孔の位置に合わせて調整されるので、ボタン孔がその側縁と操作ボタンとの隙間が小さくなるように形成されていても、操作ボタンがボタン孔に適切に貫装される。従って、操作ボタンの筐体に対する遊びを小さくして、操作ボタンとボタン孔の端縁との接触音を軽減し、プロジェクタの外観を良好にすることができる。このとき、操作ボタンは、押し込み操作されるときに、筐体に対しぐらつきにくくなるので、操作ボタンを操作するときの触感も良好にすることができる。また、操作ボタンはフランジ部を有しており、操作ボタンがレバー部材と共に上方に付勢されてフランジ部が筐体の内面に当接しているので、操作ボタンは、レバー部材に対して変位しにくい状態で保持され、外部から振動が加わったときや音声出力時等に操作ボタンがボタン孔の端縁に接触しにくくなり、操作ボタンとボタン孔の端縁との接触音をより確実に低減することが可能になる。
【００１３】
請求項２の発明によれば、操作ボタンの取付ボス部が、レバー部材に形成されている孔部に緩嵌された状態で取り付けられており、操作ボタンが、ボタン孔に外部から押し込み操作可能に配置された状態で、レバー部材に対する位置がボタン孔の位置に合わせて調整される。従って、上述と同様に、操作ボタンとボタン孔の端縁との隙間を小さくして、操作ボタンとボタン孔の端縁との接触音を軽減し、プロジェクタの外観を良好にすることができる。このとき、操作ボタンは、押し込み操作されるときに、筐体に対しぐらつきにくくなるので、操作ボタンを操作するときの触感も良好にすることができる。
【００１４】
請求項３の発明によれば、操作ボタンが、フランジ部を有しており、レバー部材と共に付勢され、フランジ部が筐体の内面に当接するように構成されているので、操作ボタンは、レバー部材に対して変位しにくい状態で保持され、外部から振動が加わったときや音声出力時等に操作ボタンがボタン孔の端縁に接触しにくくなり、操作ボタンとボタン孔の端縁との接触音をより確実に低減することが可能になる。
【発明を実施するための最良の形態】
【００１５】
以下、本発明の一実施形態について図面を参照しつつ説明する。図１は、本発明に係るプロジェクタの一例を示し、図２は、プロジェクタ１の回路構成を示す。また、図３は、このプロジェクタ１の斜視図を示す。このプロジェクタ１は、パーソナルコンピュータやビデオカメラ等から入力された映像信号（画像データ）を用いて映像を形成し、前方に設けられたスクリーンに拡大投影する装置である。
【００１６】
図１に示すように、プロジェクタ１は、おおまかに、筐体２の前方側に配置され、外部から入力された映像信号を用いて映像を形成し、前方のスクリーンに拡大投影する光学エンジン１０と、筐体２の後方側に配置され、外部から入力された映像信号を処理して光学エンジン１０を制御する制御部２０とを備えている。筐体２内部の前方において、左右略中央部には、このプロジェクタ１本体の載置角度をその載置面に対して変更するための角度調節機構３０が収納されている。本実施形態において、筐体２は、図３に示すように、上方のアッパーハウジング２ａと下方のロワハウジング２ｂとで構成されている。そして、光学エンジン１０、制御部２０、及び角度調節機構３０等は、ロワハウジング２ｂに組みつけられた後にアッパーハウジング２ａとロワハウジング２ｂとが組み合わされて、筐体２内部に収納されている。
【００１７】
図１に示すように、光学エンジン１０は、例えば放電ランプ等の光源１１と、光源から出射された光のうち後方に出射された光を前方に反射させると共に、所定の領域に集光させる反射板（集光部材）１２と、光源１１から出射された光の光路上に設けられ、三原色に相当するカラーフィルタが所定角度ピッチで形成され、一定速度で回転するカラーホイール１３と、カラーホイール１３を一定速度で回転させるモータ１４と、カラーホイール１３を挟んで光源に対向するように設けられ、所定の内径を有する光トンネル１５と、光トンネルを透過した光束を所定方向に反射するミラー１６と、光トンネル１５及びミラー１６を介して、カラーホイール１３を透過した光束の光路上に設けられ、二次限的に配列された微小ミラーの集合体であって、外部から入力された映像信号に応じて微小ミラーの角度を変化させ、カラーホイール１３を透過した光束を所定方向（第１の方向）と所定方向以外の第２の方向に反射させるＤＭＤ（デジタルマイクロミラーデバイス）１７と、ＤＭＤ１７に対して第１の方向に配置され、ＤＭＤ１７により反射された光束をスクリーン上に投影する投影レンズ１８等で構成されている。本実施形態において、カラーホイール１３、光トンネル１５、ミラー１６、及びＤＭＤ１７は、スクリーン上に投影する光束を出射する映像形成部１００として機能する。
【００１８】
反射板１２は、例えば回転楕円面状に形成されており、光源１１が回転楕円面の一方の焦点近傍に配置され、カラーホイール１３の一部が回転楕円面の他方の焦点近傍に位置するように配置されている。図中、カラーホイール１３よりも右側の光源１１と反射板１２とは、箱体状のランプボックス１２ａに覆われており、光源ユニットとして独立したユニットとして構成されている。一方、光トンネル１５よりも左側は、迷光の影響を少なくするための暗箱ユニット１１０として形成され、暗箱ユニット１１０の内面は、反射光を吸収するように反射防止塗料が塗布されている。なお、図１において、筐体２の内部を光学エンジン１０側と制御部２０側を仕切るように描かれている仕切り板４は、実際にこのような仕切り板４が存在するのではなく、上記光源ユニット及び暗箱ユニットの筐体の壁を概略的に描いたものである。
【００１９】
一方、制御部２０は、映像信号を用いてＤＭＤ１７を駆動するＤＭＤ駆動回路（制御回路）２１と、プロジェクタ１の全体を制御する全体制御回路（制御回路）２２と、光源１１を駆動する光源駆動回路（制御回路）２３と、ＤＭＤ駆動回路２１、全体制御回路２２及び光源駆動回路２３を含むプロジェクタ１の各部に電力を供給するための電源回路２４と、少なくとも光源１１及び電源回路２４を冷却するための冷却風を発生させる冷却ファン３を有している。ＤＭＤ駆動回路２１及び全体制御回路２２は、例えばＣＰＵ、ＲＯＭ、ＲＡＭ等で構成されている。また、必要に応じて、ノイズ除去フィルタ等も設けられている。光源駆動回路２３は、放電ランプ等の光源１１を電力が一定となるように制御するためのインバータ回路であり、コイル、ダイオード、ＦＥＴ等で構成されている。放電ランプは、点灯開始直後、その温度が低く、電圧が低いため、電力が一定になるように制御すると大電流がランプに流れてしまい、ランプ寿命が低下するという問題を有している。そのため、光源駆動回路２３は、ランプ点灯開始から一定時間、ランプに流れる電流を制限するウオーミングアップ動作を行う。電源回路２４は、例えば１００Ｖや２００Ｖ等の交流商用電源を入力として、例えば１２Ｖや２４Ｖ等の直流電圧電源を発生させる回路であり、コイル、ダイオード、ＦＥＴ等で構成されている。
【００２０】
図１に示すように、冷却ファン３は、筐体２の外部から筐体２の内部に空気を取り入れて、光源１１、光源駆動回路２３、電源回路２４等の熱源から発生される熱を吸収し、温度が上昇した熱風を筐体２の外部に排気させるものである。図１に示す構成では、冷却ファン３により発生された冷却風の一部を光学エンジン１０側に導入すると共に、冷却風の残りを制御部２０側に導入している。
【００２１】
図３に示すように、角度調節機構３０は、ランプボックス１２ａの近傍において、筐体２の前面に沿うように配されている。図４は、角度調節機構３０を示す。図４において、矢印Ｄはプロジェクタ１の前方を示す。角度調節機構３０は、略棒形状のスタンド部材３１と、スタンド部材３１の筐体２に対する位置をロックするロック部材（ロック機構）３２と、ロック部材３２によるロックを解除するためのレバー部材３３と、レバー部材を上方に付勢するための針金コイルにより形成されたばね（付勢機構）３４と、ロック部材３２の上方に配置され、アッパーハウジング２ａの上面から外部に露出するように配置された操作ボタン３５等で構成されている。なお、本実施形態において、アッパーハウジング２ａの上面には、貫通孔であるボタン孔２ｃが形成されており、操作ボタン３５は、このボタン孔２ｃに貫装された状態で筐体２の上方に露出して配されている。このボタン孔２ｃは、操作ボタン３５のボタン孔２ｃに貫装される部位の外形よりもわずかに大きく形成されており、操作ボタン３５がボタン孔２ｃに貫装されたとき、操作ボタン３５の側面とボタン孔２ｃの端縁との隙間が小さくなり、プロジェクタ１の外観が良好になるように構成されている。なお、本実施形態において、スタンド部材３１、ロック部材３２、レバー部材３３は、強度及び剛性が必要となる部材であり、また、熱源である光源１１の近傍に配置されてプロジェクタ１の使用時に高温となる場合があるため、例えば複合樹脂等により構成されている。その一方で、操作ボタン３５は、筐体２の外部に露出してプロジェクタ１の外観を構成するので、例えばプロジェクタ１の外観デザインに応じた色彩の樹脂を用いて構成されている。なお、各部材を構成する素材は、上述に限られず、例えば金属製であったり、また、全てＡＢＳ等の同一種類の樹脂により構成されていてもよい。
【００２２】
スタンド部材３１は、筐体２に対し、上下方向にスライド可能に配置されている。スタンド部材３１の下端部には、略円形の接地部３１ａが形成されており、この接地部３１ａが筐体２の下方でプロジェクタ１が載置される載置面に当接してプロジェクタ１を支持可能に構成されている。また、スタンド部材３１の前面側には、図４に示すように、蛇腹形状の被係止部３１ｂが形成されている。ロック部材３２は、筐体に対し前後方向にスライド可能に、スタンド部材３１が貫装された状態で配置されている。ロック部材３２のスタンド部材３１が貫装される部位の前面側は、スタンド部材３１の被係止部３１ｂに係合可能な係止爪（図示せず）が形成されている。ロック部材３２は、その前面側に配置され、一端が筐体２の前面に支えられたロックばね３２ａにより、後方に向けて付勢されている。すなわち、スタンド部材３１は、ロック部材３２がロックばね３２ａにより付勢されて被係止部３１ｂに係止爪が係合したロック状態となり、これにより筐体２に対する位置が保持されるように構成されている。
【００２３】
レバー部材３３は、筐体２の内部で、前方から見て略クランク形状に折れ曲がって上下方向に延設されており、下端部が、ロック部材３２の近傍となる操作爪３３ａとなり、上部が、筐体２の上面の近傍に位置する略水平な取付板３３ｂとなっている。取付板３３ｂの略中央部と、その左右両側それぞれの部位とには、円形の孔部３３ｃと、孔部３３ｃより直径が小さい円形の孔部３３ｄとがそれぞれ形成されている。このレバー部材３３は、筐体２にガイドされ、上下方向にスライド可能に配置されている。ばね３４は、図に示すように、レバー部材３３の折れ曲がった部位の下部において、上下方向に伸縮可能に配置されており、その一端がレバー部材３３と接触し、他端が筐体２に当接し、支持されている。本実施形態において、ばね３４は、レバー部材３３が後述のように操作ボタン３５と共に筐体２の内部に配置された状態で、自然な状態から若干量圧縮され、その復元力により、レバー部材３３と操作ボタン３５とを上方に付勢するように構成されている。
【００２４】
図５は、操作ボタン３５とレバー部材３３の取付板３３ｂとの互いの取付部位を示す。図の矢印Ｄは、プロジェクタ１の前方を示す。操作ボタン３５は、下方の側周縁から外側に突き出すように形成されたフランジ部３５ａを有している。図に示すように、操作ボタン３５の下面の略中央部と、その左右両側それぞれの部位とには、円柱状で中心部にねじ穴を有する取付ボス部３５ｂと、取付ボス部３５ｂより外径が小さい、円柱形上の取付ボス部３５ｃとがそれぞれ立設されている。本実施形態において、操作ボタン３５の内部は、下面からくりぬかれたような形状に形成されている。そして、取付ボス部３５ｂ，３５ｃを互いに接続するようなリブ３５ｄが形成され、取付ボス部３５ｂ，３５ｃが折損しにくくなるように構成されている。
【００２５】
図６（ａ）、（ｂ）は、操作ボタン３５が設けられている部位の側断面図を示す。操作ボタン３５は、図６（ａ）に示すように、取付ボス部３５ｂ，３５ｃが、それぞれ、レバー部材３３の孔部３３ｃ，３３ｄに貫装されるようにして、レバー部材３３に取り付けられる。このとき、本実施形態においては、取付板３３ｂの下方から、孔部３３ｃよりもその座面が大きいねじ３６が取付ボス部３５ｂのねじ穴にねじ込まれ、操作ボタン３５がレバー部材３３から上方に抜けることが無く、後述のようなプロジェクタ１の組立作業をより容易に行うことができるように構成されている。なお、操作ボタン３５は、ねじ３６を用いずに、レバー部材３３上に配置されていてもよい。
【００２６】
ここで、図に示すように、取付ボス部３５ｂ，３５ｃの外径寸法は、それらが貫装されている孔部３３ｃ，３３ｄの寸法に対して小さく、また、本実施形態においては、取付ボス部３５ｂの下面とリブ３５ｄの下面との距離が、取付板３３ｂの厚みよりも大きい。すなわち、操作ボタン３５は、取付ボス部３５ｂ，３５ｃが孔部３３ｃ，３３ｄに緩嵌された状態で、レバー部材３３に取り付けられている。そして、レバー部材３３に対して、取付ボス部３５ｂ，３５ｃの側面と孔部３３ｃ，３３ｄの端縁との隙間の分だけ、略水平方向に変位可能となるように構成されている。
【００２７】
本実施形態において、プロジェクタ１は、上述のように、光学エンジン１０、制御部２０を含むプロジェクタ１の構成部材や、操作ボタン３５が取り付けられたレバー部材３３等の角度調節機構３０をロワハウジング２ｂに組み付けた後、上方から、アッパーハウジング２ａがこれらの部材を覆うように配されて組み立てられる。ここで、図６（ｂ）に示すように、操作ボタン３５は、その上部がアッパーハウジング２ａのボタン孔２ｃを介して筐体２の外部に露出するように、ボタン孔２ｃに貫装される。このとき、上述のように、操作ボタン３５は、レバー部材３３に対して略水平方向に変位可能であるので、各部材に製造誤差等があっても、操作ボタン３５のレバー部材３３に対する位置が、ボタン孔２ｃの位置に合わせて変位するので、操作ボタン３５が、ボタン孔２ｃに適切に貫装される。
【００２８】
また、本実施形態においては、このように操作ボタン３５がアッパーハウジング２ａのボタン孔２ｃに貫装された状態で、フランジ部３５ａは、ボタン孔２ｃの端部で、筐体２の内面に当接するように構成されている。このように、操作ボタン３５は、筐体２の内部に収納された状態で、フランジ部３５ａが筐体２の内面に当接することによりレバー部材３３と共に下方に若干量変位して、ばね３４をその自然な状態から若干量圧縮された状態で保持されている。換言すると、操作ボタン３５は、図６（ｂ）に示すように、ばね３４の復元力でフランジ部３５ａがアッパーハウジング２ａの内面に当接されることにより、レバー部材３３に対して変位しにくい状態となっている。
【００２９】
図６（ｂ）に示すような状態から、操作ボタン３５が下方に押し込み操作されると、操作ボタン３５と共に、レバー部材３３が下方にスライドして変位する。このとき、操作爪３３ａは、ロック部材３２と噛み合ってロックばね３２ａを圧縮しながらロック部材３２を前方に変位させる用に構成されている。そして、これにより、スタンド部材３１のロックが解除され、スタンド部材３１を筐体２の下方から突き出すようにスライドさせることができる。スタンド部材３１を任意量下方にスライドさせた後、操作ボタン３５の押し込み操作が解除されると、ばね３４の復元力により操作ボタン３５と共にレバー部材３３の位置が図６（ｂ）に示すような元の状態に戻る。そして、ロックばね３２ａの復元力によりロック部材３２が後方に変位し、ロック部材３２の係止爪がスタンド部材３１の被係止部３１ｂに係合することにより、スタンド部材３１の筐体２に対する位置がロックされる。そして、この状態で、プロジェクタ１は、載置面上に、スタンド部材３１の接地部３１ａと、ロワハウジング２ｂの底面後方の例えば２箇所に配置された接地部（図示せず）との例えば３点を接地させ、載置面に対するプロジェクタ１の角度がユーザの所望の角度になるように調整された状態で載置される。
【００３０】
このように、本実施形態においては、操作ボタン３５が、ボタン孔２ｃに外部から押し込み操作可能に配置された状態で、レバー部材３３に対する位置がボタン孔２ｃの位置に合わせて調整されるので、ボタン孔２ｃがその側縁と操作ボタン３５との隙間が小さくなるように形成されていても、操作ボタン３５がボタン孔２ｃに適切に貫装される。従って、操作ボタン３５の筐体２に対する遊びを小さくして、操作ボタン３５とボタン孔２ｃの端縁との接触音を軽減し、プロジェクタ１の外観を良好にすることができる。このとき、操作ボタン３５は、押し込み操作されるときに、筐体２に対しぐらつきにくくなるので、操作ボタン３５を操作するときの触感も良好にすることができる。また、操作ボタン３５はフランジ部３５ａを有しており、操作ボタン３５がレバー部材３３と共に上方に付勢されてフランジ部３５ａが筐体２の内面に当接しているので、操作ボタン３５は、レバー部材３３に対して変位しにくい状態で保持され、外部から振動が加わったときや音声出力時等に操作ボタン３５がボタン孔２ｃの端縁に接触しにくくなり、操作ボタン３５とボタン孔２ｃの端縁との接触音をより確実に低減することが可能になる。
【００３１】
なお、本発明は上記実施形態の構成に限定されるものではなく、発明の趣旨を変更しない範囲で適宜に種々の変形が可能である。例えば、例えば、映像形成部は、カラーホイール１３及びＤＭＤ１７を用いて映像を形成するものに限られず、光源から出射された光を、３原色別に配置された液晶パネル等に透過させた後に合成することにより映像を形成するようなものであってもよい。また、操作ボタン３５のフランジ部３５ａは、操作ボタン３５の側周縁の一部にのみ設けられていてもよく、操作ボタン３５は、フランジ部３５ａを有さないものであってもよい。さらにまた、孔部及び取付ボス部等の数や形状は、上述に限られるものではない。また、角度調整機構の各部材は、たとえば操作ボタンが筐体２の側面や下面から外部に露出するように構成されていてもよい。
【００３２】
すなわち、本発明においては、操作ボタンを、レバー部材の端部でレバー部材に対して変位可能な状態に配置し、ボタン孔の位置に合わせてそのレバー部材に対する位置が調整されるように構成することにより、操作ボタンとボタン孔の端縁との隙間を小さくして、操作ボタンとボタン孔の端縁との接触音を軽減することが可能になり、プロジェクタの外観を良好にすることができ、また、操作ボタンを操作するときの触感も良好にすることができる。
【図面の簡単な説明】
【００３３】
【図１】本発明の一実施形態に係るプロジェクタの構成を示す平面断面図。
【図２】上記プロジェクタの回路構成を示すブロック図。
【図３】上記プロジェクタの構成を示す斜視図。
【図４】上記プロジェクタの角度調節機構を示す斜視図。
【図５】上記プロジェクタの操作ボタンのレバー部材への取付部を下方からみたときの斜視図。
【図６】（ａ）は上記プロジェクタのアッパーハウジングを取り付ける前の操作ボタンを示す図５のＡ−Ａ線断面図、（ｂ）は（ａ）の状態からアッパーハウジングを取り付けた状態を示す断面図。
【符号の説明】
【００３４】
１  プロジェクタ
２  筐体
２ｃ  ボタン孔
１１  光源
１２ａ  ランプボックス
１３  カラーホイール
１６  ミラー（集光部材）
１７  ＤＭＤ（デジタルマイクロミラーデバイス）
１８  投影レンズ
２０  制御部
２１  ＤＭＤ駆動回路（制御回路）
２２  全体制御回路（制御回路）
２３  光源駆動回路（制御回路）
２４  電源回路
３０  角度調節機構
３１  スタンド部材
３２  ロック部材
３３  レバー部材
３３ｂ  取付板
３３ｃ，３３ｄ  孔部
３４  ばね（付勢部材）
３５  操作ボタン
３５ａ  フランジ部
３５ｂ，３５ｃ  取付ボス部
【図１】
2007316320.tif 000003
【図２】
2007316320.tif 000004
【図３】
2007316320.tif 000005
【図４】
2007316320.tif 000006
【図５】
2007316320.tif 000007
【図６】
2007316320.tif 000008